(57)【要約】      （修正有）【課題】安定して立てることができ、蓋の上部から物が落ちることもなく、蓋の開閉が便利で、雨降りとか朝夕の暗い時などは車の運転手に見えやすいランドセルを提供する。【解決手段】ランドセルの底部に、高さの同じ金具４を四隅に設置し、安定して自立できるようにし、蓋２を箱型構造にして、ランドセル本体の外側に重ね合わせて隙間のないよう覆い隠し、蓋の開閉装置３をランドセルの前面の上部に配置する事で見やすく開閉しやすくし、ランドセルの外側に電池とスイッチを格納して、配線を組み込んだ接着テープ式のＬＥＤライト９を前側と後側に貼り付けて点灯させる事で車の運転手に注意を促す。【選択図】図１
0003230677.tif 000002
【実用新案登録請求の範囲】
【請求項１】
蓋の部分が、上から被せるだけでなく、後は、もちろん両横も前も全体を包み込むよ    うに、本体に重ね合わせ隙間のないよう覆い隠す、箱型構造になっている事を特徴と    するランドセル。
【請求項２】
請求項１のランドセルにおいて、箱型の蓋の開閉装置は、ランドセル前面の上部に、    有する事を特徴とするランドセル。
【請求項３】
ランドセルの底部は背負いベルトの金具が２個と、その金具と同じ高さの安定金具      を前側にもう２個を取り付けて四隅に四個の金具を取り付けランドセルを立てた時      に安定して立つ事を特徴とするランドセル。
【請求項４】
ランドセルの教科書を出し入れするのに支障のない外側に、電池と電池のスイッチ      を格納して、ランドセルの前側と後側に、配線を組み込んだ接着テープ式のＬＥＤ      ライトを貼り付けスイッチの操作により、点灯さすこと事を特徴とするランドセル      。
【考案の詳細な説明】
【技術分野】
【０００１】
本考案は、ランドセルに関するものである。
【背景技術】
【０００２】
従来の、ランドセルは、底が背負いベルトの金具が２個なので、立てて本を入れよ      うとすると不安定で倒れるし、横に寝かして本を入れる時も蓋が大きいので、邪魔      になるし、開閉装置が底に設置してあるので閉めにくいし開けにくいし、深いおじ      ぎをしたり靴ひもを結ぶ時など、上部側の横の所に隙間があるので、小さな物が落      ちたりするし、雨降りの時とか朝夕の暗い時などは小さな子供たちは車の運転手に      分かりにくいなど不都合なところが沢山ある。
【考案の概要】
【考案が解決しようとする課題】
【０００３】
従来のランドセルの、立てた時の不安定さと、蓋の上部の所の隙間から物が落ちる      などの不都合さと、蓋の開閉装置が底に設置してある不便さと、雨降りや朝夕の暗      い時など、車の運転手に分かりにくいなどの課題を解決する。
【課題を解決するための手段】
【０００４】
従来のランドセルの、立てた時の不安定さの、解決手段は底の部分の後側の、背負      いベルトの取り付け金具２個と、それと同じ高さの安定金具を２個前側に取り付け      て、合計四個の金具でランドセルを安定させ解決する。蓋の上部の所の隙間から物      が落ちるなどの不都合さの解決手段は蓋を従来の上から被せるだけの物ではなく、      その部分を箱型構造にして後はもちろん、前も両横もランドセル本体の外側に蓋を      重ね合わせ隙間のないよう、覆い隠す事により解決する。蓋の開閉装置が底に設置      してある不便さの解決手段は、ランドセルの前面の上部に開閉装置を設置する事に      より、ランドセルを立てた時に目の前で操作できるので解決する。雨降りや朝夕の      暗い時など車の運転手に分かりにくいなどの解決手段は、ランドセルの中の教科書      を出し入れするのに支障のない外側の所に電池と電池のスイッチを格納して、ラン      ドセルの前面と後面に配線を組み込んだ接着テープ式のＬＥＤライトを貼り付けて      、それを点灯さす事で解決する。
【考案の効果】
【０００５】
ランドセルを立てた時に底部の四隅に四個の同じ高さの金具があるので安定するし      蓋が小さく箱型になっているので邪魔にならず、なおかつランドセル本体の外側に      重なっていて隙間が無いので、大きくお辞儀をしたり、靴ひもを結ぶ時などに上の      隙間から物が落ちたりしないし、開閉装置もランドセルを立てた時には目の前にあ      り操作できるので使いやすくなるし、電池が格納され、配線を組み込んだ接着テー      プ式のＬＥＤライトを点灯する事で車の運転手にも良く分かり交通安全に繋がる効      果がある。
【図面の簡単な説明】
【０００６】
【図１】本考案に係る、ランドセルの蓋を閉じた時の正面図である。
【図２】本考案に係る、ランドセルの蓋を閉じた時の背面図である。
【図３】本考案に係る、ランドセルの蓋を閉じた時の左側面図である。
【図４】本考案に係る、ランドセルの蓋を開けた時の左側面図である。
【図５】本考案に係る、ランドセルの底面図である。
【考案を実施するための最良の形態】
【０００７】
本考案に係る、最良の形態の一つ目は（図３〜図５）に示すように、ランドセル１      の底部に背負いベルトの取り付け金具６と同じ高さの、安定金具４を二個、ランド      セル１の前面の隅に取り付けて四隅に四個の金具６と４にする事で安定して立たす      事が出来る。最良の形態である二つ目は（図１〜図４）に示すように、蓋２が小さ      くランドセル１の外側に覆い被せる箱型構造にして後ろはもちろん前も両横もラン      ドセル本体１の外側に重ね合わせ隙間の無いようにする事により物が落ちないのと      、大きくないので邪魔にならない。最良の形態である三つ目は（図１）に示すよう      に、蓋２が小さくなったので開閉装置３も上の方に配置できるのでランドセル１を      立てた時に目の前にくるので開閉しやすくなる。最良の形態の四つ目は（図１〜図      ４）に示すように、雨降りや朝夕の暗い時など車の運転手に分かりにくいなどには      、ランドセル１の教科書の出し入れに支障のない外側に電池格納用のポケット７を      取り付け電池を入れ、それに配線を組み込んだ接着テープ式のＬＥＤライト９を点      灯さすスイッチ８も取り付けてランドセル１の前面と後面の背負いベルト５に配線      を組み込んだ接着テープ式のＬＥＤライト９を貼り付け点灯さす事により車の運転      手にもよく分かり交通事故防止の役に立つ。最良の形態である。                      
【符号の説明】
【０００８】
１  ランドセルの本体
２  ランドセルの箱型構造の蓋
３  ランドセルの箱型構造の蓋の開閉装置
４  ランドセルの底部の安定金具
５  ランドセルの背負いベルト
６  ランドセルの背負いベルトの取り付け金具
７  配線を組み込んだ接着テープ式のＬＥＤライトの電池格納用ポケット
８  配線を組み込んだ接着テープ式のＬＥＤライトの点灯スイッチ
９  配線を組み込んだ接着テープ式のＬＥＤライト
【図１】
0003230677.tif 000003
【図２】
0003230677.tif 000004
【図３】
0003230677.tif 000005
【図４】
0003230677.tif 000006
【図５】
0003230677.tif 000007
【手続補正書】
【提出日】令和2年11月17日(2020.11.17)
【手続補正１】
【補正対象書類名】実用新案登録請求の範囲
【補正対象項目名】全文
【補正方法】変更
【補正の内容】
【実用新案登録請求の範囲】
【請求項１】
蓋の部分が、上から被せるだけでなく、後ろはもちろん、両横も前も全体を包み込むように、本体に重ね合わせ隙間のないよう覆い隠す、箱型構造になっている事を特徴とするランドセル。
【請求項２】
請求項１のランドセルにおいて、箱型の蓋の開閉装置は、ランドセル前面の上部に、有する事を特徴とするランドセル。
【請求項３】
ランドセルの底部は背負いベルトの金具が２個と、その金具と同じ高さの安定金具を前側に、もう２個を取り付けて、四隅に四個の金具を取り付けランドセルを立てた時に安定して立つ事を特徴とする請求項１〜２のいずれかに記載のランドセル。
【請求項４】
ランドセルの教科書を出し入れするのに支障のない外側に、電池と電池のスイッチを格納して、ランドセルの前側と後側に、配線を組み込んだ接着テープ式のＬＥＤライトを貼り付けスイッチの操作により、点灯さす事を特徴とする請求項１〜３のいずれかに記載のランドセル。